(57)【要約】【課題】  引違い戸式に開閉する２枚の引き戸を備えたサッシ枠に、スクリーン装置を保持して摺動させるための枠を用いることなく、一つのスクリーン装置でいずれの開口部にもスクリーンを張設することができるスクリーン付設機構を提供する。【解決手段】  ２枚の引き戸２，３によって開閉される建物開口部のサッシ枠１に、横引きで開閉自在のスクリーン装置を付設するに当たり、スクリーン１１の一端に取付ける框を、該スクリーンを収納可能にした収納框１２、他方をスクリーン端の保持框１５とし、両框のうちの一方を、上記開口部の中央に固定し、他方を上記固定した框の両側における上下の横枠にガイドさせて移動可能にし、この移動する框を上記開口部の左右端に係脱自在とし、上記スクリーンを中央に固定した框の両側に選択的に展張可能にする。【選択図】        図１
2005126997.tif 000002
【特許請求の範囲】
【請求項１】
２枚の引き戸によって開閉される建物開口部のサッシ枠に、横引きで開閉自在のスクリーンを備えたスクリーン装置を付設するためのスクリーン付設機構であって、
上記スクリーンの両端に取付ける框の一方を、スクリーンの非張設時に該スクリーンを収納可能にした収納框、他方をスクリーン端の保持框とし、
上記スクリーンの両端に設けた框のうちの一方を、上記開口部の中央に固定し、他方の框を上記中央に固定した框の両側における上下の横枠にガイドさせて移動可能にして、この移動する框を上記開口部の左右端に係脱自在とし、
それによって、上記スクリーンを中央に固定した框の両側に選択的に展張可能にした、
ことを特徴とするサッシ枠に対するスクリーン付設機構。
【請求項２】
上記スクリーンを、巻取り軸に内蔵したスプリングを巻取り用の駆動源として該巻取り軸に巻取る巻取り式スクリーン装置として、上記収納框に該巻取り軸を収容した、
ことを特徴とする請求項１に記載のサッシ枠に対するスクリーン付設機構。
【請求項３】
収納框を、サッシ枠を設置した建物開口部の中央部に固定的に配設し、スクリーン端の保持框を可動框とした、
ことを特徴とする請求項１または２に記載のサッシ枠に対するスクリーン付設機構。
【請求項４】
サッシ枠を設置した建物開口部の中央部に配設した収納框を、該収納框におけるスクリーンの引出側をスクリーン端保持框が移動する方向に向けるように転向可能に支持させ、
その転向した状態で可動框を上下の横枠によりガイド可能にした、
ことを特徴とする請求項３に記載のサッシ枠に対するスクリーン付設機構。
【請求項５】
建物開口部におけるサッシ枠の中央部に対応する位置に、収納框をスクリーン端の保持框と共に着脱自在に装着する嵌装部材を設け、該嵌装部材に収納框を装着した状態で、保持框を可動框として上下の横枠にガイドさせて移動可能にした、
ことを特徴とする請求項３に記載のサッシ枠に対するスクリーン付設機構。
【請求項６】
収納框を装着する嵌装部材に、該収納框に弾性的に係合してそれを保持する保持片を設けた、
ことを特徴とする請求項５に記載のサッシ枠に対するスクリーン付設機構。
【請求項７】
スクリーン端の保持框を、サッシ枠を設置した建物開口部の中央部に固定的に配設し、収納框を可動框とした、
ことを特徴とする請求項１または２に記載のサッシ枠に対するスクリーン付設機構。
【請求項８】
建物開口部におけるサッシ枠の中央部に対応する位置に、スクリーン端の保持框を収納框と共に着脱自在に装着する嵌装部材を設け、該嵌装部材に保持框を装着した状態で、収納框を可動框として上下の横枠にガイドさせて移動可能にした、
ことを特徴とする請求項７に記載のサッシ枠に対するスクリーン付設機構。
【請求項９】
スクリーン端の保持框を装着する嵌装部材に、該保持框に弾性的に係合してそれを保持する保持片を設けた、
ことを特徴とする請求項８に記載のサッシ枠に対するスクリーン付設機構。
【請求項１０】
収納框に、操作子の手動操作でスクリーンの巻取り軸の周囲に設けた係止凹部に係合子を係合させることにより、該巻取り軸の引出側、収納側、あるいは双方の回転をロックするロック手段を付設した、
ことを特徴とする請求項２乃至９のいずれかに記載のサッシ枠に対するスクリーン付設機構。
【請求項１１】
スクリーンを防虫用のネットとし、展張したネットの周囲に生じる隙間を封止する封止手段を備えた、
ことを特徴とする請求項１乃至１０のいずれかに記載のサッシ枠に対するスクリーン付設機構。
【発明の詳細な説明】
【技術分野】
【０００１】
本発明は、サッシ枠に対して防虫、防塵、遮光、断熱、目隠し等のためのスクリーン装置を付設する付設機構に関するものであり、更に具体的には、建物開口部に設置され、２枚の引き戸によって開閉されるサッシ枠に、横引きで開閉自在のネットを備えたスクリーン装置を付設するための付設機構に関するものである。
【背景技術】
【０００２】
建物開口部において引違い戸式に開閉する２枚の引き戸を備えたサッシ枠に、開閉自在の網戸等のスクリーン装置を装設する場合には、例えば、巻取り軸に内蔵したスプリングを巻取り用の駆動源とするネットの先端、あるいは、交互に逆方向に折り返してアコーディオン状に折曲した折り畳み可能なネットの先端に取付けた開閉操作用の可動框を、網戸枠の上下の横枠にガイドさせて左右方向に開閉自在とし、その網戸枠を、引き戸のサッシ枠または別設枠の上下の横枠部材にガイドさせて、該枠における２枚の引き戸に対応する位置に移動できるよう設置される。
しかしながら、この種の網戸を用いる場合には、サッシ枠等の上下の横枠部材にガイドさせて左右に移動させるための網戸枠を用いることから、網戸の不使用時においてもいずれかの引き戸に重なる位置に網戸枠が存在し、それにより該引き戸の周囲が雑然となり、引き戸の周囲の美観を損うばかりでなく、網戸枠の存在により網戸を設置するためのコストも高くなるという問題があった。
【発明の開示】
【発明が解決しようとする課題】
【０００３】
叙上に鑑みて、本発明の技術的課題は、引違い戸式に開閉する２枚の引き戸を備えたサッシ枠にスクリーン装置を付設するに際し、スクリーンを保持して摺動させるための枠を用いる必要をなくし、引き戸の周囲の美観を確保できるようにすると共に、引違い戸式に開閉する引き戸のいずれを開放しても、一つのスクリーン装置でいずれの開口部にもスクリーンを張設することができ、それによって、スクリーン装置の設置のコストを十分に低減できるようにしたスクリーン付設機構を提供することにある。
本発明の他の技術的課題は、引違い戸式に開閉する２枚の引き戸を備えたサッシ枠にスクリーン装置を付設するに際し、スクリーンの両端に該スクリーンの収納框を含む框を取付けてなるスクリーン組立体を簡易に装脱可能にすることにある。
【課題を解決するための手段】
【０００４】
上記課題を解決するための本発明のサッシ枠に対するスクリーン付設機構は、２枚の引き戸によって開閉される建物開口部のサッシ枠に、横引きで開閉自在のスクリーンを備えたスクリーン装置を付設するためのスクリーン付設機構であって、上記スクリーンの両端に取付ける框の一方を、スクリーンの非張設時に該スクリーンを収納可能にした収納框、他方をスクリーン端の保持框とし、上記スクリーンの両端に設けた框のうちの一方を、上記開口部の中央に固定し、他方の框を上記中央に固定した框の両側における上下の横枠にガイドさせて移動可能にして、この移動する框を上記開口部の左右端に係脱自在とし、それによって、上記スクリーンを中央に固定した框の両側に選択的に展張可能にしたことを特徴とするものである。
【０００５】
本発明の好ましい実施形態においては、上記スクリーンを、巻取り軸に内蔵したスプリングを巻取り用の駆動源として該巻取り軸に巻取る巻取り式スクリーン装置として、上記収納框に該巻取り軸が収容される。
また、上記収納框を、サッシ枠を設置した建物開口部の中央部に固定的に配設し、スクリーン端の保持框を可動框とすることもできるが、スクリーン端の保持框を、サッシ枠を設置した建物開口部の中央部に固定的に配設し、収納框を可動框とすることもできる。
更に、本発明の好ましい実施形態では、サッシ枠を設置した建物開口部の中央部に配設した収納框を、該収納框におけるスクリーンの引出側をスクリーン端の保持框が移動する方向に向けるように転向可能に支持させ、その転向した状態で可動框を上下の横枠によりガイド可能に構成される。
【０００６】
また、本発明の他の好ましい実施形態では、建物開口部におけるサッシ枠の中央部に対応する位置に、収納框またはスクリーン端の保持框を着脱自在に装着する嵌装部材を設け、該嵌装部材に一方の框を装着した状態で、他方の框を可動框として、上下の横枠にガイドさせて移動可能に構成される。その場合に、框を装着する嵌装部材に、該框に弾性的に係合してそれを保持する保持片を設けるのが望ましい。
更に、本発明の好ましい実施形態では、収納框に、操作子の手動操作でスクリーンの巻取り軸の周囲に設けた係止凹部に係合子を係合させることにより、該巻取り軸の引出側、収納側、あるいは双方の回転を一時的にロックするロック手段が付設される。
本発明においては、そのスクリーンを防虫用のネットとし、展張したネットの周囲に生じる隙間を封止する封止手段を備えたものとして構成することができる。
【発明の効果】
【０００７】
上記構成を有する本発明のサッシ枠に対するスクリーン付設機構によれば、引違い戸式に開閉する２枚の引き戸を備えたサッシ枠にスクリーン装置を付設するに際し、前記スクリーン枠を用いる必要をなくし、引き戸の周囲の美観を確保できると共に、引違い戸式に開閉する引き戸のいずれを開放しても、一つのスクリーン装置でいずれの開口部にもスクリーンを張設することができ、それによって、スクリーン装置の設置のコストを十分に低減することができる。
また、本発明によれば、上記サッシ枠にスクリーン装置を取付けるに際し、スクリーンの両端に該スクリーンの収納框を含む框を取付けたスクリーン組立体を簡易に装脱することができる。
【発明を実施するための最良の形態】
【０００８】
以下においては、本発明に係るサッシ枠に対するスクリーン付設機構を、スクリーンとして防虫用のネットを用いたところの、網戸付設機構に適用した場合の実施例について説明する。
図１及び図２は、本発明に係るサッシ枠に対する網戸付設機構の第１実施例を示し、図３及び図４は、その第２実施例を示している。
上記第１実施例の網戸付設機構は、建物開口部において引違い戸式に開閉する２枚の引き戸２，３を備えたサッシ枠１に、防虫用のネット１１を横引き式に開閉するようにした網戸組立体１０を、室内納まりとして付設したものである。
また、上記第２実施例は、上記第１実施例と実質的に同様な網戸組立体１０を、建物開口部において引違い戸式に開閉する２枚の引き戸２，３を備えたサッシ枠１に、室外納まりとして付設したものである。
【０００９】
上記第１実施例及び第２実施例の網戸付設機構において、２枚の引き戸２，３によって開閉される建物開口部のサッシ枠１に付設される網戸組立体（一般的にはスクリーン組立体）１０は、実質的に共通の構成を有するものが用いられ、具体的に、該網戸組立体１０は、図５〜図７から分かるように、スクリーンとしての防虫用のネット１１と、該ネット１１の一端を巻取り軸１３に巻取るようにした収納框１２と、該ネット１１の他端に取付けられたネット端の保持框１５とによって構成されるものである。上記ネット１１の展張・収納のために移動する保持框（可動框）１５の上下端をガイドするため、建物開口部には上部横枠１６ａ，１６ｂ及び下部の横枠１７ａ，１７ｂを装設することになるが、これらはサッシ枠１と一体のものであっても、あるいは、図示したようにサッシ枠１とは別体のものであっても差し支えない。
【００１０】
上記収納框１２は、非張設時の上記ネット１１を巻取り軸１３に内蔵したスプリングを巻取り用の駆動源として該巻取り軸１３に巻取るようにし、それを収納ボックス１４に収容したものであり、また、上記保持框１５は、収納框１２から導出したネット１１の先端を保持するためにそこに連結されたものである。
なお、ここでは網戸として巻取り式のものを用いる場合について説明しているが、上記ネット１１として、交互に逆方向に折り返してアコーディオン状とした折り畳み可能なネットを用い、収納框１２として該ネットの全部または一部を収納するようにした框を用いることもできる。
【００１１】
この網戸組立体１０においては、上記ネット１１の両端に設けた框１２，１５のうちの一方を、上記建物開口部の中央に固定し、他方を上記中央に固定した框の両側における上下の横枠１６ａ，１７ａ、または１６ｂ，１７ｂにガイドさせて移動可能にするが、図５〜図７に示す実施例では、上記収納框１２を建物開口部の中央部に固定的に配設し、ネット端の保持框１５を可動框として移動可能にしている。建物開口部への上記収納框１２の固定は、直接的に固定してもよいが、上記横枠を介して固定してもよい。
【００１２】
上記構成を有する網戸組立体１０においては、図５及び図６から分かるように、保持框１５を収納框１２の左右いずれの側へも移動させることができ、それによって上記ネット１１を中央に固定した収納框１２の両側に選択的に展張することができる。この場合に、上記保持框１５は、ネット１１の展張時に、上記建物開口部に固定した左右の枠材１９ａ，１９ｂのいずれかに係脱させることになるが、ここでは、その係脱具２０として、保持框１５に弾性的に係合するように配置した板ばねを用い、図５の右端にその係合状態を示している。しかしながら、この係脱具２０としては、周知の各種構成を有するものを用いることができる。
なお、収納框１２から導出したネット１１は左右いずれかの方向に引き出すため、収納ボックス１４からの導出口にはネット１１の円滑な導出入を助けるためのガイド等を設けることが望まれる。
【００１３】
このように、上記網戸組立体１０は、図１及び図２の第１実施例、または図３及び図４の第２実施例のように、建物開口部において、引違い戸式に開閉する２枚の引き戸２，３を備えたサッシ枠１に付設することにより、引き戸２，３のいずれを開放しても、その開放部分にネット１１を張設することができる。
【００１４】
この網戸組立体１０を第１及び第２実施例のようにサッシ枠１に付設して使用する場合には、展張した防虫用のネット１１の周囲に生じる隙間から虫が侵入する可能性がある。そのため、該隙間を封止する封止手段として、図１、図２、図５〜図７の実施例では、保持框１５の両側に、建物開口部の左右の枠材１９ａ，１９ｂに接してその間の隙間を封止するブラシ状封止具２１ａ，２１ｂを取付け、また、ネット１１の上下部において該ネットを両面側から挟むようにして水平に伸びるブラシ状封止具２２ａ，２２ｂを、上下の横枠に取付けている。図８はそれらの構成の詳細を示すものである。
また、図３及び図４に示す第２実施例では、上述したブラシ状封止具２１ａ，２１ｂ，２２ａ，２２ｂに加えて、保持框１５にそれと外側の引き戸３との間の隙間を封止する封止具２３を取付けている。
【００１５】
防虫用のネット１１の周囲に生じる隙間からの虫の侵入を防止する封止手段としては、上述したブラシ状封止具に限らず、弾性的に変形して接触対象物との間の隙間を封止するゴムあるいはスポンジ状の板状部材、マグネットとそれに吸着される吸着シート、突起状のファスナー部にネットを係止する構造等を用いることができる。
また、ネットの上下端の隙間を封止する封止手段としては、図９に示すように、ネット端にファスナーの半体のような可撓性の係合部材２４を取付け、それを係合溝２５のスリット状口部２５ａを通して該係合溝２５に係合させるようにした構成を採用することもできる。
【００１６】
図１０〜図１２は、本発明に係るスクリーン付設機構の第３実施例を示している。
この第３実施例では、上記収納框３０を、前記実施例と同様に、ネット１１を、巻取り軸１３に内蔵したスプリングを巻取り用の駆動源として、該巻取り軸１３に巻取る巻取り式として構成しているが、該収納框３０を、サッシ枠１を設置した建物開口部の中央部に、そのネット１１の引出側、すなわち保持框３５の受入れ凹部３１を、該保持框１５がネット１１の張設のために移動する左右方向に向け得るように、上下の回転軸３２により転向可能に支持させている。
なお、図中、３４は封止手段、すなわち、収納框３０に設けられ、それと引き戸２との間の隙間を封止するブラシ状封止具を示している。また、その他の構成は前記第１及び第２実施例の場合と実質的に変わるところがないので、同一または相当部分に同一の符号を付してそれらの説明を省略する。
【００１７】
図１３及び図１４は、本発明に係る網戸付設機構の第４実施例を示している。この第４実施例は、前記第１実施例において収納框１２を建物開口部の中央部に固定的に配設し、保持框１５を可動框として左右に摺動できるようにしているのに対し、保持框４１を建物開口部の中央部に固定的に配設し、収納框４２を可動框として左右に摺動できるようにしている。すなわち、収納框４２を建物開口部の中央に固定した保持框４１の両側における上下の横枠１６ａ，１７ａ、または１６ｂ，１７ｂにガイドさせて、移動可能に構成している。
図中、４３は封止手段、すなわち、保持框４１に設けられ、それと引き戸２との間の隙間を封止するブラシ状封止具を示している。
また、その他の構成は前記第１及び第２実施例の場合と実質的に変わるところがないので、同一または相当部分に同一の符号を付してそれらの説明を省略する。
なお、この第４実施例の場合も、第１実施例の場合と同様に、網戸組立体を室内納まりとしているが、それを室外納まりとすることもできる。
【００１８】
更に、図１５〜図１７に示す網戸組立体４５も、図５〜図７に示した網戸組立体１０が収納框１２を建物開口部の中央部に固定的に配設し、保持框１５を可動框として左右に摺動できるようにしているのに対し、保持框４１を建物開口部の中央部に固定的に配設し、収納框４２を可動框として左右に摺動できるようにしたものであり、この場合にも、その他の構成は前記図５〜図７の場合と実質的に変わるところがないので、同一または相当部分に同一の符号を付してそれらの説明を省略する。
【００１９】
図１８及び図１９に示す第５実施例の網戸付設機構は、前記第１実施例における網戸組立体１０に対応する網戸組立体５０を、建物開口部に設けた上下の横枠５１，５２に対して着脱自在としたものである。従って、第１実施例と共通する構成については、図中に同一の符号を付して説明を省略し、以下に、第１実施例と異なる構成について説明する。
【００２０】
上方の横枠５１に対する収納框５３の固定は、図２２の（ａ）（ｂ）に示すように、建物開口部におけるサッシ枠１の中央部に対応する位置に、上記横枠５１と一体または別体の嵌装部材６０を設け、この嵌装部材６０に収納框５３をネット端の保持框５８と共に着脱自在に装着して固定するようにしている。上記嵌装部材６０は、収納框５３を抱持するための一対の弾性ある保持片６２を備え、該保持片６２の先端に設けた係合頭部６３を、収納框５３の端蓋５４の左右両側面に設けた係合凹部５４ａに弾性的に係合させることにより、収納框５３を着脱自在にするものである。
なお、下方の横枠５２にも、上記上方の嵌装部材６０と対称形をなす嵌装部材６４が設けられ、収納框５３の下方の端蓋５５にも係合凹部５５ａが設けられ、収納框５３は上下の端蓋５４，５５において固定されることになる（図２３参照）。
【００２１】
また、上記収納框５３には、それを上記嵌装部材６０，６４に装着したときに横枠５１，５２内に形成されるガイド溝に連通するように形成した保持框５８の収容凹所５６を形成して、そこに保持框５８を収容するようにしている。
従って、図２３の（ａ）に示すように、収納框５３における上記収容凹所５６に保持框５８を収容した状態で、該収納框５３を嵌装部材６０，６４に装着して、同図（ｂ）の状態とし、この状態で保持框５８を可動框として、それを上下の横枠５１，５２にガイドさせて移動させることにより、同図（ｃ）に示すように、ネット１１を張設することができる。
このように、網戸組立体５０を弾性的に着脱できるようにしておくと、網戸を使用しない時季には簡単に取外すことができ、また、その使用時季には簡単に装着することができる。
【００２２】
図２４は、上記第５実施例における収納框５３の下方の端蓋５５に設けたところのロック手段７０の構成を示している。該ロック手段７０は、上記端蓋５５に回転自在に支持させて先端を外部に突出させた手動操作用のレバー状操作子７１を備え、この操作子７１と、支持ピン７３ａの周りの回転により巻取り軸１３の周囲の係止凹部７２に係合する係合子７３とを、スプリング７４によって連結して、上記操作子７１の左右への切換操作により、係合子７３の先端の鈎部７３ｂを、巻取り軸１３の周囲に設けたけた複数の係止凹部７２のうちのいずれかに係合させるようにしている。なお、図中、７５は、係合子７３の回動範囲を設定するストッパーである。
【００２３】
図示した係合子７３の先端の鈎部７３ｂは、図２４の（ａ）に示すロック解除状態から操作子７１の操作で同図（ｂ）に示す状態にすると、係合子７３の鈎部７３ｂが巻取り軸１３の周囲の係止凹部７２に係合し、保持框５８によりネット１１を引出す方向の巻取り軸１３の回転をロックする。このロックを同図（ａ）のように解除すると、保持框５８によりネット１１を引出すことができ、保持框５８をその係脱具により図における右側の枠材に係止することにより、ネット１１が張設される。この状態で操作子７１を同図（ｂ）のロック位置に切換えておいても、上記係脱具を外したときには、巻取り軸１３内のスプリングの巻取り力によって該巻取り軸１３が回転し、その場合に、上記鈎部７３ｂの係合が巻取り軸の回転力によって外されて、自動的にロック解除の状態になり、ネット１１が巻取り軸に巻取られる。
【００２４】
このような鈎部７３ｂによるロック及びロックの自動解除は、上記鈎部７３ｂと係止凹部７２の形状によって任意に設定することができ、すなわち、巻取り軸１３が回転する方向とその回転により鈎部７３ｂが係止凹部７２から離脱するか係合状態を維持するかを、それらの形状の選択により自由に設定することができ、それにより、巻取り軸１３の引出側、収納側、あるいは双方の回転をロックできるようにし、その逆方向を自動解除するように構成することができる。
【００２５】
図２５〜図２７に示す第６実施例の網戸付設機構は、前記第４実施例（図１３及び図１４）における網戸組立体４５に対応する網戸組立体８０を、建物開口部に設けた上下の横枠８１，８２に対して着脱自在としたものである。従って、第４実施例と共通する構成については、図中に同一の符号を付して説明を省略し、以下に、第１実施例と異なる構成について説明する。
【００２６】
上方の横枠８１に対する保持框８３の固定は、図２７の（ａ）（ｂ）に示すように、建物開口部におけるサッシ枠１の中央部に対応する位置に、上記横枠８１と一体または別体の嵌装部材９０を設け、この嵌装部材９０に保持框８３を収納框８８と共に着脱自在に装着して固定するようにしている。上記嵌装部材９０は、保持框８３を抱持するための一対の弾性ある保持片９２を備え、該保持片９２の先端に設けた係合頭部９３を、保持框８３の上端の左右両側面に設けた係合凹部８３ａに弾性的に係合させることにより、保持框８３を着脱自在にするものである。
なお、下方の横枠８２にも、上記上方の嵌装部材９０と対称形をなす嵌装部材９４が設けられ、保持框８３の下端の係合凹部８３ａに係合して、保持框８３が固定されることになる。
【００２７】
また、上記保持框８３は、それを上記嵌装部材９０，９４に装着したときに、収納框８８が横枠８１，８２内に形成されるガイド溝に移動できるように形成されている。
従って、図２７の（ａ）に示すように、保持框８３を収納框８８と共に嵌装部材９０，９４に装着して、同図（ｂ）の状態とし、この状態で収納框８８を可動框として、上下の横枠８１，８２にガイドさせて移動させることにより、同図（ｃ）に示すように、ネット１１を張設することができる。
【図面の簡単な説明】
【００２８】
【図１】本発明に係るスクリーン付設機構におけるスクリーン装置を室内納まりとした第１実施例の水平断面図である。
【図２】上記第１実施例の側断面図である。
【図３】本発明に係るスクリーン付設機構におけるスクリーン装置を室外納まりとした第２実施例の水平断面図である。
【図４】上記第２実施例の側断面図である。
【図５】上記第１及び第２実施例において用いるスクリーン組立体の水平断面図である。
【図６】同スクリーン組立体の異なる動作状態を示す水平断面図である。
【図７】同スクリーン組立体の部分破断正面図である。
【図８】同スクリーン組立体におけるネット下端の遮蔽構造の一例を示す要部斜視図である。
【図９】同他の遮蔽構造の一例を示す要部斜視図である。
【図１０】本発明に係るスクリーン付設機構の第３実施例の水平断面図である。
【図１１】上記第３実施例の部分破断正面図である。
【図１２】同側断面図である。
【図１３】本発明に係るスクリーン付設機構におけるスクリーン装置を室内納まりとし、収納框を可動框とした第４実施例の水平断面図である。
【図１４】上記第４実施例の側断面図である。
【図１５】上記第４実施例において用いるスクリーン組立体の水平断面図である。
【図１６】同スクリーン組立体の異なる動作状態を示す水平断面図である。
【図１７】同スクリーン組立体の正面図である。
【図１８】本発明に係るスクリーン付設機構におけるスクリーン組立体を着脱自在とした第５実施例の水平断面図である。
【図１９】上記第５実施例の側断面図である。
【図２０】上記第５実施例において用いるスクリーン組立体の部分破断正面図である。
【図２１】同水平断面図である。
【図２２】（ａ）及び（ｂ）は、収納框を嵌装部材に弾性的に装着する態様を説明するための要部斜視図である。
【図２３】（ａ）〜（ｃ）は、上記第５実施例における収納框を嵌装部材に装着して使用する態様についての説明図である。
【図２４】（ａ）及び（ｂ）は、収納框に設ける巻取り軸のロック手段についての説明図である。
【図２５】本発明に係るスクリーン付設機構におけるスクリーン組立体を着脱自在とした第６実施例の水平断面図である。
【図２６】上記第６実施例の側断面図である。
【図２７】（ａ）〜（ｃ）は、収納框を嵌装部材に装着して使用する態様についての説明図である。
【符号の説明】
【００２９】
１      サッシ枠
２，３    引き戸
１１      ネット
１２，３０，４２，５３，８８    収納框
１３      巻取り軸
１５，３５，４１，５８，８３    保持框
１６ａ，１６ｂ，１７ａ，１７ｂ    横枠
３４，４３    封止手段
５１，５２，８１，８２    横枠
５４ａ，５５ａ，８３ａ    係合凹部
６０，６４，９０，９４    嵌装部材
６２，９２    保持片
７０      ロック手段
７１      操作子
７２      係止凹部
７３      係合子
【図１】
2005126997.tif 000003
【図２】
2005126997.tif 000004
【図３】
2005126997.tif 000005
【図４】
2005126997.tif 000006
【図５】
2005126997.tif 000007
【図６】
2005126997.tif 000008
【図７】
2005126997.tif 000009
【図８】
2005126997.tif 000010
【図９】
2005126997.tif 000011
【図１０】
2005126997.tif 000012
【図１１】
2005126997.tif 000013
【図１２】
2005126997.tif 000014
【図１３】
2005126997.tif 000015
【図１４】
2005126997.tif 000016
【図１５】
2005126997.tif 000017
【図１６】
2005126997.tif 000018
【図１７】
2005126997.tif 000019
【図１８】
2005126997.tif 000020
【図１９】
2005126997.tif 000021
【図２０】
2005126997.tif 000022
【図２１】
2005126997.tif 000023
【図２２】
2005126997.tif 000024
【図２３】
2005126997.tif 000025
【図２４】
2005126997.tif 000026
【図２５】
2005126997.tif 000027
【図２６】
2005126997.tif 000028
【図２７】
2005126997.tif 000029